(57)【要約】【課題】秘匿すべき特定情報を表示しない全画面画像の分析装置外部への送信を可能にする分析システムを提供すること。【解決手段】本発明は、分析装置１と、ネットワークＮを介して分析装置１との間で通信を行って分析装置１を管理する管理サーバ４１を備えた分析システムにおいて、分析装置１は、分析処理に関する情報を画面上に表示する表示部３６と、表示部３６の全画面画像における秘匿すべき特定情報が表示された領域を塗りつぶした塗りつぶし画像を生成する画像処理部３２と、画像処理部３２が生成した塗りつぶし画像を管理サーバ４１に対して送信する送受信部３７と、を備えたことを特徴とする。【選択図】        図１
2008020309.tif 000002
【特許請求の範囲】
【請求項１】
分析装置と、通信接続手段を介して前記分析装置との間で通信を行って前記分析装置を管理する管理装置を備えた分析システムにおいて、
前記分析装置は、
分析処理に関する情報を画面上に表示する表示手段と、
前記表示手段の全画面画像における秘匿すべき特定情報が表示された領域を塗りつぶした塗りつぶし画像を生成する画像処理手段と、
前記画像処理手段が生成した塗りつぶし画像を前記管理装置に対して送信する送信手段と、
を備えたことを特徴とする分析システム。
【請求項２】
前記秘匿すべき特定情報は、一定の領域に表示されることを特徴とする請求項１に記載の分析システム。
【請求項３】
前記画像処理手段は、前記秘匿すべき特定情報が表示される領域に対応する領域を所定色で塗りつぶしたテンプレート画像と前記全画面画像とを合成して前記塗りつぶし画像を生成することを特徴とする請求項１または２に記載の分析システム。
【請求項４】
前記秘匿すべき特定情報は、前記全画面画像の種別ごとに異なる一定の領域に表示され、
前記テンプレート画像は、前記全画面画像の種別に応じてそれぞれ設けられ、
前記画像処理手段は、前記全画面画像の種別に応じた前記テンプレート画像を用いて前記塗りつぶし画像を生成することを特徴とする請求項３に記載の分析システム。
【請求項５】
前記表示手段は、前記送信手段が前記塗りつぶし画像を前記管理装置に対して送信する前に、前記塗りつぶし画像を表示することを特徴とする請求項１〜４のいずれか一つに記載の分析システム。
【請求項６】
前記表示手段によって表示された前記塗りつぶし画像の送信を許可する指示情報を入力する入力手段を備え、
前記送信手段は、前記入力手段によって前記指示情報が入力された場合に前記塗りつぶし画像を前記管理装置に対して送信することを特徴とする請求項５に記載の分析システム。
【請求項７】
前記秘匿すべき特定情報は、人を特定できる情報であることを特徴とする請求項１〜６のいずれか一つに記載の分析システム。
【発明の詳細な説明】
【技術分野】
【０００１】
この発明は、分析装置と、通信接続手段を介して分析装置との間で通信を行って分析装置を管理する管理装置を備えた分析システムに関する。
【背景技術】
【０００２】
従来、分析結果の信頼性を高めるため、ネットワークなどの通信接続手段を介して複数の分析装置と管理サーバとを接続し、接続した分析装置と管理サーバの間で通信を行うことによって、分析装置を管理する分析システムが提案されている（たとえば、特許文献１参照）。このような分析システムにおいては、分析装置において異常が発生した場合、分析装置の操作者は、管理サーバ側の管理者または保守点検担当者から異常に対する対応指示を受けるため、異常を表示したディスプレイの全画面画像に対応する画像情報を管理サーバに送信する場合があった。
【０００３】
【特許文献１】特許第３７７２１２５号公報
【発明の開示】
【発明が解決しようとする課題】
【０００４】
しかしながら、従来においては、個人の氏名や法人の名称など秘匿が好ましい情報がそのまま表示された全画面画像情報を管理サーバに送信しており、秘匿が好ましい情報が管理サーバの管理者や分析装置の保守点検担当者に開示されてしまうという問題があった。
【０００５】
本発明は、上記に鑑みてなされたものであって、秘匿すべき特定情報を表示しない全画面画像の分析装置外部への送信を可能にする分析システムを提供することを目的とする。
【課題を解決するための手段】
【０００６】
上述した課題を解決し、目的を達成するために、この発明にかかる分析システムは、分析装置と、通信接続手段を介して前記分析装置との間で通信を行って前記分析装置を管理する管理装置を備えた分析システムにおいて、前記分析装置は、分析処理に関する情報を画面上に表示する表示手段と、前記表示手段の全画面画像における秘匿すべき特定情報が表示された領域を塗りつぶした塗りつぶし画像を生成する画像処理手段と、前記画像処理手段が生成した塗りつぶし画像を前記管理装置に対して送信する送信手段と、を備えたことを特徴とする。
【０００７】
また、この発明にかかる分析システムは、前記秘匿すべき特定情報は、一定の領域に表示されることを特徴とする。
【０００８】
また、この発明にかかる分析システムは、前記画像処理手段は、前記秘匿すべき特定情報が表示される領域に対応する領域を所定色で塗りつぶしたテンプレート画像と前記全画面画像とを合成して前記塗りつぶし画像を生成することを特徴とする。
【０００９】
また、この発明にかかる分析システムは、前記秘匿すべき特定情報は、前記全画面画像の種別ごとに異なる一定の領域に表示され、前記テンプレート画像は、前記全画面画像の種別に応じてそれぞれ設けられ、前記画像処理手段は、前記全画面画像の種別に応じた前記テンプレート画像を用いて前記塗りつぶし画像を生成することを特徴とする。
【００１０】
また、この発明にかかる分析システムは、前記表示手段は、前記送信手段が前記塗りつぶし画像を前記管理装置に対して送信する前に、前記塗りつぶし画像を表示することを特徴とする。
【００１１】
また、この発明にかかる分析システムは、前記表示手段によって表示された前記塗りつぶし画像の送信を許可する指示情報を入力する入力手段を備え、前記送信手段は、前記入力手段によって前記指示情報が入力された場合に前記塗りつぶし画像を前記管理装置に対して送信することを特徴とする。
【００１２】
また、この発明にかかる分析システムは、前記秘匿すべき特定情報は、人を特定できる情報であることを特徴とする。
【発明の効果】
【００１３】
本発明は、全画面画像における秘匿すべき特定情報が表示された領域を塗りつぶした塗りつぶし画像を生成し、生成した塗りつぶし画像を管理装置に対して送信することによって、秘匿すべき特定情報を表示しない全画面画像の分析装置外部への送信を可能にする。
【発明を実施するための最良の形態】
【００１４】
以下、図面を参照して、この発明の実施の形態について説明する。なお、この実施の形態によりこの発明が限定されるものではない。また、図面の記載において、同一部分には同一の符号を付している。
【００１５】
図１は、本実施の形態にかかる分析システムの全体構成を示す図である。図１に示すように、本実施の形態にかかる分析システムは、複数の分析装置１と、ネットワークＮを介して各分析装置１に接続して各分析装置１を管理する管理サーバ４１とを備える。管理サーバ４１は、各種情報を記憶するデータベース４２を有する。
【００１６】
分析装置１は、検体等の試料の成分を生化学的または免疫学的に分析する。分析装置１は、反応容器内で生じる反応を光学的に測定する測定機構２と、測定機構２の駆動制御を行うとともに測定機構２における測定結果の分析を行う制御機構３とを有する。
【００１７】
測定機構２は、搬送される反応容器に、検体等の試料および試薬を順次分注し、攪拌した後、検体と試薬が反応した反応液を光学的に測定する。光学的測定が終了した反応容器は、そのまま廃棄される場合もあり、洗浄後に再度検体の分析に使用される場合もある。
【００１８】
制御機構３は、一または複数のコンピュータシステムを用いて実現され、反応容器内の反応を光学的に測定する測定機構２に接続する。制御機構３は、分析装置１の各処理にかかわる各種プログラムを用いて、測定機構２の動作処理の制御を行うとともに測定機構２における測定結果の分析を行う。制御機構３は、制御部３１、入力部３３、分析部３４、記憶部３５、表示部３６および送受信部３７を備える。
【００１９】
制御部３１は、制御機能を有するＣＰＵ等を用いて構成され、分析装置１の各構成部位の処理および動作を制御する。制御部３１は、これらの各構成部位に入出力される情報について所定の入出力制御を行い、かつ、この情報に対して所定の情報処理を行う。制御部３１は、記憶部３５が記憶するプログラムをメモリから読み出すことにより分析装置１の制御を実行する。制御部３１は、画像処理部３２を有する。
【００２０】
画像処理部３２は、表示部３６の全画面画像における秘匿すべき特定情報が表示された領域を塗りつぶした塗りつぶし画像を生成する。この秘匿すべき特定情報は、全画面画像における一定の領域に表示される。画像処理部３２は、秘匿すべき特定情報が表示される領域に対応する領域を所定色で塗りつぶしたテンプレート画像と全画面画像とを合成して塗りつぶし画像を生成する。ここで、秘匿すべき特定情報は、表示部３６によって表示される全画面画像の種別ごとに異なる一定の領域に表示され、テンプレート画像は、全画面画像の各種別に応じてそれぞれ設けられる。画像処理部３２は、全画面画像の種別に応じたテンプレート画像を用いて塗りつぶし画像を生成する。秘匿すべき特定情報は、分析対象である検体を提供した個人の氏名、ＩＤ番号、年齢、性別などのほか、個人が属する法人の名称などの人を特定できる情報がある。
【００２１】
入力部３３は、種々の情報を入力するためのキーボード、表示部３６の表示画面上における任意の位置を指定するためのマウス等を用いて構成され、検体の分析に必要な諸情報や分析動作の指示情報等を外部から取得する。入力部３３は、表示部３６の全画面画像の管理サーバ４１への送信を指示する指示情報を入力する。入力部３３は、表示部３６によって表示され画像処理部３２によって生成された塗りつぶし画像の送信を許可する指示情報を入力する。分析部３４は、測定機構２から取得した測定結果に基づいて試料の成分分析等を行う。
【００２２】
記憶部３５は、情報を磁気的に記憶するハードディスクと、分析装置１が処理を実行する際にその処理にかかわる各種プログラムをハードディスクからロードして電気的に記憶するメモリとを用いて構成され、検体の分析結果等を含む諸情報を記憶する。記憶部３５は、ＣＤ−ＲＯＭ、ＤＶＤ−ＲＯＭ、ＰＣカード等の記憶媒体に記憶された情報を読み取ることができる補助記憶装置を備えてもよい。記憶部３５は、全画面画像の各種別に応じてそれぞれ設けられたテンプレート画像を記憶する。記憶部３５は、全画面画像の種別とテンプレート画像とを対応させたテンプレートテーブルを記憶する。
【００２３】
表示部３６は、ディスプレイ等を用いて構成され、検体の分析結果を含む分析処理に関する諸情報を表示出力する。表示部３６は、送受信部３７が塗りつぶし画像を管理サーバ４１に対して送信する前に、画像処理部３２が生成した塗りつぶし画像を表示する。
【００２４】
送受信部３７は、ネットワークＮを介して所定の形式にしたがった情報の送受信を行うインターフェースとしての機能を有する。送受信部３７は、画像処理部３２が生成した塗りつぶし画像に対応する画像情報Ｓｇを管理サーバ４１に送信する。送受信部３７は、表示部３６によって表示された塗りつぶし画像の送信を許可する指示情報が入力部３３によって入力された場合、ネットワークＮを介して、塗りつぶし画像に対応する画像情報Ｓｇを管理サーバ４１に対して送信する。なお、制御機構３は、プリンタやスピーカーなどを備え、印刷情報および音声情報を出力してもよい。
【００２５】
つぎに、図２を参照して、分析装置１が管理サーバに全画面画像を送信するまでの処理手順について説明する。分析装置１の操作者は、たとえば、分析装置１の処理動作に異常が発生した場合、または、分析装置１における分析結果に異常があり異常の原因が判別できない場合に、全画面画像の送信を指示する。
【００２６】
表示部３６は、異常の発生を示すエラーメニュー画像を表示する（ステップＳ２）。制御部３１は、入力部３３から入力される指示情報をもとに、表示部３６の表示画面における全画面画像を送信するか否かを判断する（ステップＳ４）。この場合、入力部３３を構成するキーボードの所定キーが操作者によって押圧されることによって、入力部３３は、表示部３６の全画面画像の管理サーバ４１への送信を指示する指示情報を制御部３１に入力する。制御部３１は、表示部３６の表示画面における全画面画像を送信しないと判断した場合（ステップＳ４：Ｎｏ）、全画面画像送信処理を終了する。
【００２７】
これに対し、表示部３６の表示画面における全画面画像を送信すると判断した場合（ステップＳ４：Ｙｅｓ）、画像処理部３２は、送信指示された全画面画像を取得する（ステップＳ６）。
【００２８】
次いで、画像処理部３２は、記憶部３５に記憶されたテンプレートテーブルを参照する（ステップＳ８）。このテンプレートテーブルは、図３のテンプレートテーブルＴに示すように、表示部３６の全画面に表示されるメニュー画像の種別と、各メニュー画像の種別に応じたテンプレート画像を識別する情報とを対応させたものである。
【００２９】
画像処理部３２は、テンプレートテーブルを参照し、送信指示された全画面画像であるメニュー画像の種別に対応するテンプレート画像を記憶部３５から取得する（ステップＳ１０）。
【００３０】
そして、画像処理部３２は、取得したテンプレート画像と送信指示された全画面画像とを合成して塗りつぶし画像を生成する画像合成処理を行う（ステップＳ１２）。表示部３６は、画像処理部３２が生成した塗りつぶし画像を表示する（ステップＳ１４）。
【００３１】
つぎに、制御部３１は、表示部３６によって表示された塗りつぶし画像の送信を許可する入力部３３による指示情報をもとに、この塗りつぶし画像を管理サーバ４１に送信するか否かを判断する（ステップＳ１６）。たとえば、表示部３６には、塗りつぶし画像の送信を選択できる欄と非送信を選択できる欄とを表示した選択メニューが表示され、分析装置１の操作者は、マウスなどの操作によって、塗りつぶし画像の送信を選択できる欄または非送信を選択できる欄とのいずれかを選択する。分析装置１の操作者は、表示部３６に表示された塗りつぶし画像において特定情報が塗りつぶされており、この塗りつぶし画像を管理サーバ４１に送信してもよいと判断した場合には、塗りつぶし画像の送信選択欄を選択する。これに対し、分析装置１の操作者は、表示部３６に表示された塗りつぶし画像において特定情報が塗りつぶされておらず、この塗りつぶし画像を管理サーバ４１に送信しないと判断した場合には、塗りつぶし画像の非送信選択欄を選択する。
【００３２】
制御部３１が、塗りつぶし画像を管理サーバ４１に送信しないと判断した場合（ステップＳ１６：Ｎｏ）、全画面画像送信処理を終了する。なお、制御部３１は、再度ステップＳ４に戻って、全画面画像の送信判断処理を行い、画像処理部３２による塗りつぶし画像の合成を行ってもよい。
【００３３】
一方、制御部３１は、この塗りつぶし画像を管理サーバ４１に送信すると判断した場合（ステップＳ１６：Ｙｅｓ）、送受信部３７は、塗りつぶし画像に対応する画像情報Ｓｇを管理サーバ４１に送信する送信処理を行う（ステップＳ１８）。
【００３４】
図２に示す画像合成処理を具体的に説明する。たとえば、送信を指示された全画面画像として、図４に例示するメニュー画像Ｍ１がある。このメニュー画像Ｍ１においては、分析装置１における異常を報知する欄Ｂｅがメニューの下部に設けられている。たとえば、欄Ｂｅには、ノズルＢにおける異常発生が示される。また、メニュー画像Ｍ１においては、上部に異常が発生した日時を示す欄、分析対象である検体が属するグループ名を示す欄が表示され、その下部には、検体が分注されたプレート番号を示す欄が表示され、その下部には、エラーマーク、サンプル番号、サンプルＩＤに対応させて分析結果が表示されている。このメニュー画像Ｍ１においては、サンプルＩＤがそれぞれ記載されるサンプルＩＤ欄Ｂ１が秘匿すべき特定情報が表示された領域に該当する。
【００３５】
そして、このメニュー画像Ｍ１に対応するテンプレート画像は、図５に示すように、メニュー画像Ｍ１の大きさと同じ大きさを有するとともに、メニュー画像Ｍ１のサンプルＩＤ欄Ｂ１に対応する領域Ａ１を黒く塗りつぶしたテンプレート画像Ｔ１である。
【００３６】
画像処理部３２は、図３に示すテンプレートテーブルＴを参照して、送信対象であるメニュー画像Ｍ１に対応するテンプレート画像がテンプレート画像Ｔ１であると判断し、記憶部３５からテンプレート画像Ｔ１を取得する。そして、画像処理部３２は、メニュー画像Ｍ１とテンプレート画像Ｔ１とを合成し、図６に示すように、サンプルＩＤ欄Ｂ１が黒く塗りつぶされた塗りつぶし画像Ｇ１を生成する。
【００３７】
また、画像処理部３２は、送信を指示された全画面画像が、図７に例示するメニュー画像Ｍ２である場合には、図８に示すメニュー画像Ｍ２におけるサンプルＩＤ欄Ｂ２に対応する領域Ａ２を黒く塗りつぶしたテンプレート画像Ｔ２をメニュー画像Ｍ２に合成し、メニュー画像Ｍ２の塗りつぶし画像を生成する。また、画像処理部３２は、送信を指示された全画面画像が、図９に例示するメニュー画像Ｍ３である場合には、メニュー画像Ｍ３におけるサンプルＩＤ欄Ｂ３に対応する領域Ａ３を黒く塗りつぶしたテンプレート画像Ｔ３をメニュー画像Ｍ３に合成し、メニュー画像Ｍ３の塗りつぶし画像を生成する。
【００３８】
このように、実施の形態にかかる分析システムにおいては、表示部３６の全画面画像における秘匿すべき特定情報が表示された領域を塗りつぶした塗りつぶし画像を生成して管理サーバ４１に送信するため、管理サーバの管理者や分析装置の保守点検担当者への特定情報の開示を阻止することができる。
【００３９】
また、分析装置１が送信する塗りつぶし画像においては、秘匿すべき個人情報などの特定情報が塗りつぶされているに過ぎない。言い換えると、分析装置１が送信する塗りつぶし画像においては、分析装置１の管理や保守点検のために必要とされる分析結果などの情報は塗りつぶされていない。したがって、本実施の形態においては、分析システムの管理者や保守点検担当者は、分析装置の管理および保守点検に必要な情報を塗りつぶし画像から取得することができ、従来と同様に分析装置の管理作業および保守点検作業を円滑に行うことができる。
【００４０】
また、分析装置１は、各全画面画像の種別に対応するテンプレート画像をそれぞれ有し、全画面画像と、この全画面画像に対応するテンプレート画像とを合成して塗りつぶし画像を生成しているため、簡易かつ迅速に塗りつぶし画像を生成することが可能になる。
【００４１】
なお、本実施の形態においては、画像処理部３２によって生成された塗りつぶし画像の送信を許可する指示情報が入力されてから塗りつぶし画像を管理サーバ４１に送信する場合について説明したが、もちろん、図１１に示すように、画像処理部３２によって生成された塗りつぶし画像をそのまま自動的に送信してもよい。
【００４２】
図１１に示すように、分析装置１は、図２に示すステップＳ２〜ステップＳ１４と同様の処理手順を行った後、図２に示すステップＳ１６の処理手順を削除し、送受信部３７を介して塗りつぶし画像をそのまま自動的に管理サーバ４１に送信する。分析装置１の操作者は、キーボードの所定キーを一度押圧するという簡易な指示だけで、特定情報が塗りつぶされた塗りつぶし画像を迅速に管理サーバ４１に送信することができる。この場合、図１２に示すように、表示部３６は、所定時間経過後に塗りつぶし画像を送信する旨を報知する送信メニューＭｓを表示してもよい。送信メニューＭｓ中にはキャンセル欄が設けられており、分析装置１は、塗りつぶし画像送信までの間に、カーソルＣの移動およびマウスのクリックなどによって送信メニューＭｓ中のキャンセル欄が選択された場合には、塗りつぶし画像の送信を中止する。このように、送信メニューＭｓを表示し、誤った塗りつぶし画像が表示された場合には、送信を中止できるようにしてもよい。
【００４３】
また、管理サーバ４１は、分析装置１から塗りつぶし画像に対応する画像情報Ｓｇが送信された場合には、この画像情報Ｓｇをデータベース４２に記憶させてもよい。管理サーバ４１の管理者や保守点検担当者は、データベース４２内に記憶された画像情報Ｓｇを閲覧することによって、分析装置１において発生した異常を把握することができる。また、管理サーバ４１は、分析装置１で発生した異常への迅速な対応を求めるため、管理サーバ４１の管理者が携帯する端末装置や保守点検担当者が携帯する端末装置に画像情報Ｓｇにおいて報知された異常内容を送信してもよい。
【００４４】
また、図４〜９においては、特定情報が表示された領域に対応する領域を黒く塗りつぶしたテンプレート画像Ｔ１〜Ｔ３について説明したが、これに限らない。たとえば、特定情報が表示された領域に対応する領域を白く塗りつぶしたテンプレート画像であってもよく、また、特定情報が表示された領域に対応する領域を所定パターンで塗りつぶしたテンプレート画像であってもよく、特定情報が判別できない程度に塗りつぶすことができれば足りる。
【００４５】
また、上記実施の形態で説明した分析システムは、あらかじめ用意されたプログラムをコンピュータシステムで実行することによって実現することができる。このコンピュータシステムは、所定の記録媒体に記録されたプログラムを読み出して実行することで分析システムの処理動作を実現する。ここで、所定の記録媒体とは、フレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステムの内外に備えられるハードディスクドライブ（ＨＤＤ）などのように、プログラムの送信に際して短期にプログラムを保持する「通信媒体」など、コンピュータシステムによって読み取り可能なプログラムを記録する、あらゆる記録媒体を含むものである。また、このコンピュータシステムは、ネットワークＮを介して接続した管理サーバ４１、他のコンピュータシステムからプログラムを取得し、取得したプログラムを実行することで分析システムの処理動作を実現する。
【図面の簡単な説明】
【００４６】
【図１】実施の形態にかかる分析システムの全体構成を示す図である。
【図２】図１に示す分析装置が全画面画像を送信するまでの処理手順を示すフローチャートである。
【図３】図１に示す記憶部が記憶するテンプレートテーブルを例示する図である。
【図４】図１に示す表示部の表示画面を例示する図である。
【図５】図４に示すメニュー画像に対応するテンプレート画像を示す図である。
【図６】図１に示す画像処理部が生成した塗りつぶし画像を示す図である。
【図７】図１に示す表示部の表示画面を例示する図である。
【図８】図７に示すメニュー画像に対応するテンプレート画像を示す図である。
【図９】図１に示す表示部の表示画面を例示する図である。
【図１０】図９に示すメニュー画像に対応するテンプレート画像を示す図である。
【図１１】図１に示す分析装置が全画面画像を送信するまでの他の処理手順を示すフローチャートである。
【図１２】図１に示す表示部の表示画面を例示する図である。
【符号の説明】
【００４７】
１  分析装置
２  測定機構
３  制御機構
３１  制御部
３２  画像処理部
３３  入力部
３４  分析部
３５  記憶部
３６  表示部
３７  送受信部
４１  管理サーバ
４２  データベース
Ｎ  ネットワーク
【図１】
2008020309.tif 000003
【図２】
2008020309.tif 000004
【図３】
2008020309.tif 000005
【図４】
2008020309.tif 000006
【図５】
2008020309.tif 000007
【図６】
2008020309.tif 000008
【図７】
2008020309.tif 000009
【図８】
2008020309.tif 000010
【図９】
2008020309.tif 000011
【図１０】
2008020309.tif 000012
【図１１】
2008020309.tif 000013
【図１２】
2008020309.tif 000014